(57)【要約】【課題】工期を短縮しつつ、建設コストを低減できる建物構築方法を提供すること。【解決手段】建物構築方法は、地下躯体２を有する建物１を構築する。この建物構築方法は、地盤を掘削して建物１の基礎１０を構築するＳ１、Ｓ２と、建物１の地下躯体２の１階床３３を先行床とし、この１階床３３を支持するための地下躯体２の一部の柱梁架構を先行柱梁架構６０として、基礎１０上に先行柱梁架構６０および１階床３３を構築するステップＳ３〜Ｓ５と、１階床３３を挟んで地下躯体２と地上躯体３とを同時進行で構築するステップＳ６と、を備える。【選択図】図４
2015161059.tif 000002
【特許請求の範囲】
【請求項１】
地下躯体を有する建物の構築方法であって、
地盤を掘削して前記建物の基礎を構築する工程と、
前記建物の地上躯体または地下躯体の所定階の床を先行床とし、当該先行床を支持するための前記地下躯体の一部の柱梁架構を先行柱梁架構として、前記基礎上に当該先行柱梁架構および前記先行床を構築する工程と、
前記先行床を挟んで地下躯体と地上躯体とを同時進行で構築する工程と、を備えることを特徴とする建物構築方法。
【請求項２】
前記基礎は、捨てコンクリートのみ、耐圧盤、または、基礎梁で形成されることを特徴とする請求項１に記載の建物構築方法。
【請求項３】
前記先行柱梁架構は、プレキャストコンクリート部材および／または鉄骨部材で構成されて、鉛直方向に連結される複数の所定長さのプレキャストコンクリート造の柱部材と、当該柱部材同士を連結する複数の梁部材と、を備えることを特徴とする請求項１または２に記載の建物構築方法。
【請求項４】
前記先行柱梁架構は、前記基礎上に立設されて前記先行床を支持する前記地下躯体の一部の柱梁架構と、外周壁と、外周柱と、を備えることを特徴とする請求項１から３のいずれかに記載の建物構築方法。
【発明の詳細な説明】
【技術分野】
【０００１】
本発明は、地下躯体を有する建物の建物構築方法に関する。
【背景技術】
【０００２】
従来より、地下躯体を有する建物の構築方法として、逆打ち工法が知られている（特許文献１参照）。
この逆打ち工法では、地中に杭を打設するとともにこの杭に構真柱を建て込んで、構真柱を杭に一体化させる。次に、構真柱の上端付近に所定階の床および梁を先行床として構築する。次に、地下部分を掘削しながら先行床より下の躯体を上階から下階に向かって構築するとともに、先行床より上の躯体を下階から上階に向かって構築する。
【０００３】
したがって、先行床を挟んで上下の躯体を同時に構築できるから、工期を大幅に短縮できる。
【先行技術文献】
【特許文献】
【０００４】
【特許文献１】特開平５−１５６６５４号公報
【発明の概要】
【発明が解決しようとする課題】
【０００５】
しかしながら、以上のような逆打ち工法では、先行床より上の躯体を構築しながら、地下部分の掘削や先行床より下の地下躯体の構築を行うため、特に掘削に多大な労力がかかってしまい、その結果、建設コストが増大する、という問題があった。
【０００６】
本発明は、工期を短縮しつつ、建設コストを低減できる建物構築方法を提供することを目的とする。
【課題を解決するための手段】
【０００７】
請求項１に記載の建物構築方法は、地下躯体（例えば、後述の地下躯体２）を有する建物（例えば、後述の建物１）の構築方法であって、地盤を掘削して前記建物の基礎（例えば、後述の基礎梁１２の下部）を構築する工程（例えば、後述のステップＳ１、Ｓ２）と、前記建物の地上躯体または地下躯体の所定階の床（例えば、後述の１階床３３）を先行床とし、当該先行床を支持するための前記地下躯体の一部の柱梁架構を先行柱梁架構（例えば、後述の先行柱梁架構６０）として、前記基礎上に当該先行柱梁架構および前記先行床を構築する工程（例えば、後述のステップＳ３〜Ｓ５）と、前記先行床を挟んで地下躯体（例えば、後述の地下躯体２）と地上躯体（例えば、後述の地上躯体３）とを同時進行で構築する工程（例えば、後述のステップＳ６）と、を備えることを特徴とする。
【０００８】
請求項２に記載の建物構築方法は、前記基礎は、捨てコンクリートのみ、耐圧盤、または、基礎梁で形成されることを特徴とする。
【０００９】
基礎は、捨てコンクリートのみ、耐圧盤、基礎梁のほか、柱の軸力を処理するための独立基礎であってもよい。
この発明によれば、本設の柱梁架構の一部である先行柱梁架構および先行床を構築したので、この先行床で上下の作業空間を仕切って、先行床よりも下の地下躯体と先行床よりも上の地上躯体とを同時進行で構築するので、工期を短縮できる。
また、先行柱梁架構および先行床の構築前に地下部分の掘削を完了できるので、掘削費用にかかる費用を低減して、建設コストを低減できる。
【００１０】
また、ラーメン構造である柱梁架構を先行柱梁架構として構築することで、施工中に地震が発生しても、この地震の揺れにラーメン構造で抵抗して、安全性を確保できる。
【００１１】
請求項３に記載の建物構築方法は、前記先行柱梁架構は、プレキャストコンクリート部材（例えば、後述の基礎梁接合部１３、柱部材２４、柱梁接合部２５、柱部材３４、柱梁接合部３５）および／または鉄骨部材（例えば、後述の鉄骨梁２２Ｂ、３２Ｂ）で構成されて、鉛直方向に連結される複数の所定長さのプレキャストコンクリート造の柱部材と、当該柱部材同士を連結する複数の梁部材と、を備えることを特徴とする。
【００１２】
この発明によれば、先行柱梁架構をプレキャストコンクリート部材および／または鉄骨部材で構成したので、これらプレキャストコンクリート部材および鉄骨部材を予め製作しておき、現場では組み立てのみを行うことで、先行柱梁架構を短工期で構築して、全体の工期をより短縮できる。
【００１３】
請求項４に記載の建物構築方法は、前記先行柱梁架構は、前記基礎上に立設されて前記先行床を支持する前記地下躯体の一部の柱梁架構と、外周壁（例えば、後述の外周壁２６、３６）と、外周柱（例えば、後述の外周柱２７、３７）と、を備えることを特徴とする。
【００１４】
この発明によれば、先行柱梁架構に地下躯体の外周柱を含めたので、ラーメン構造である先行柱梁架構の剛性をより向上できるから、地震に対する安全性をより向上できる。
【発明の効果】
【００１５】
本発明によれば、本設の柱梁架構の一部である先行柱梁架構および先行床を構築したので、この先行床で上下の作業空間を仕切って、先行床よりも下の地下躯体と先行床よりも上の地上躯体とを同時進行で構築するので、工期を短縮できる。また、先行柱梁架構および先行床の構築前に地下部分の掘削を完了できるので、掘削費用にかかる費用を低減して、建設コストを低減できる。
【図面の簡単な説明】
【００１６】
【図１】本発明の一実施形態に係る建物構築方法により構築される建物の地下２階の平面図である。
【図２】図１のＡ−Ａ断面図である。
【図３】前記実施形態に係る建物構築方法に用いられる先行柱梁架構の鉛直部材の分解図および側面図である。
【図４】前記実施形態に係る建物構築方法により建物を構築する手順のフローチャートである。
【図５】前記実施形態に係る建物構築方法により建物を構築する手順を説明するための図（その１）である。
【図６】前記実施形態に係る建物構築方法により建物を構築する手順を説明するための図（その２）である。
【図７】前記実施形態に係る建物構築方法により建物を構築する手順を説明するための図（その３）である。
【発明を実施するための形態】
【００１７】
以下、本発明の一実施形態について、図面を参照しながら説明する。
図１は、本発明の一実施形態に係る建物構築方法により構築される建物１の地下２階の平面図である。図２は、図１のＡ−Ａ断面図であり、建物１の地下躯体２の縦断面図である。
建物１は、地中に構築された地下躯体２と、この地下躯体２の上に構築された地上躯体３と、を有する建物である。地下躯体２の周囲には、山留め壁４が構築されている。
地下躯体２は、基礎１０、地下２階立ち上がり躯体２０、および地下１階立ち上がり躯体３０を備える。
【００１８】
基礎１０は、鉄筋コンクリート造であり、捨てコンクリート１１の上に構築される。この基礎１０は、耐圧盤１４および基礎梁１２を備える。
このうち、基礎梁１２には、下端筋４０および上端筋４１が配筋されている。
【００１９】
地下２階立ち上がり躯体２０は、鉄筋コンクリート造の地下２階柱２１と、この地下２階柱２１の柱頭部に接合される鉄骨造の地下１階梁２２と、この地下１階梁２２に支持された鉄筋コンクリート造の地下１階床２３と、山留め壁４に沿って構築された鉄筋コンクリート造の外周壁２６と、山留め壁４に沿って構築された鉄筋コンクリート造の外周柱２７と、を備える。
このうち、地下２階柱２１は、平面視で、地下躯体２の外周に沿って配置されるとともに、地下躯体２の内部に所定間隔おきに配置されている。
【００２０】
地下１階立ち上がり躯体３０は、鉄筋コンクリート造の地下１階柱３１と、この地下１階柱３１の柱頭部に接合される鉄骨造の１階梁３２と、この１階梁３２に支持された鉄筋コンクリート造の１階床３３と、山留め壁４に沿って構築された鉄筋コンクリート造の外周壁３６と、山留め壁４に沿って構築された鉄筋コンクリート造の外周柱３７と、を備える。
このうち、地下１階柱３１は、平面視で、地下躯体２の外周に沿って配置されるとともに、地下躯体２の内部に所定間隔おきに配置されている。
【００２１】
以上の基礎梁１２、地下２階柱２１、地下１階柱３１には、柱筋４２が配筋されている。
【００２２】
また、建物１の地下躯体２の柱梁架構のうち図１中破線Ｂで囲んだ部分は、先行して構築される先行柱梁架構６０となっている。
【００２３】
先行柱梁架構６０は、地下階２層分の高さであり、鉛直方向に延びる複数の鉛直部材６１（柱部材）と、これら鉛直部材６１同士を連結する複数の水平部材６２（梁部材）と、を備える（図６参照）。
鉛直部材６１は、地下２階柱２１と、地下１階柱３１と、基礎梁１２のうち地下２階柱２１の直下に位置する部分と、をプレキャストコンクリート造としたものである。これにより、先行柱梁架構６０は、プレキャストコンクリート部材および鉄骨部材で構成されることになる。
【００２４】
図３は、先行柱梁架構６０の鉛直部材６１の分解図および側面図である。
鉛直部材６１は、基礎梁接合部１３、柱部材２４、柱梁接合部２５、柱部材３４、柱梁接合部３５、を鉛直方向に連結して構成される。
【００２５】
基礎梁接合部１３は、プレキャストコンクリート造で直方体形状である。
基礎梁接合部１３には、水平方向に延びる上端筋４１Ａが配筋されており、これら下端筋４０Ａおよび上端筋４１Ａは、この基礎梁接合部１３の側面から突出している。
また、基礎梁接合部１３には、鉛直方向に延びる柱筋４２Ａが配筋されており、これら柱筋４２Ａは、この基礎梁接合部１３の上端面から突出している。
【００２６】
柱部材２４は、プレキャストコンクリート造で直方体形状である。
柱部材２４には、鉛直方向に延びる柱筋４２Ｂが配筋されており、この柱筋４２Ｂは、この柱部材２４の上端面から上方に突出している。
また、柱部材２４の下端面には、この柱筋４２Ｂに至る穴が形成されており、基礎梁接合部１３の柱筋４２Ａは、この穴に挿入されて、柱筋４２Ｂに接合される。
【００２７】
柱梁接合部２５は、プレキャストコンクリート造で直方体形状である。この柱梁接合部２５には、梁材であるＨ形鋼が打ち込まれており、このＨ形鋼は、柱梁接合部２５の側面から突出して、鉄骨梁継手部２２Ａとなっている。
また、柱梁接合部２５には、柱部材２４の柱筋４２Ｂが貫通する貫通孔が設けられている。
【００２８】
柱部材３４は、プレキャストコンクリート造で直方体形状である。
柱部材３４には、鉛直方向に延びる柱筋４２Ｃが配筋されており、この柱筋４２Ｃは、この柱部材３４の上端面から上方に突出している。
また、柱部材３４の下端面には、この柱筋４２Ｃに至る穴が形成されており、柱部材２４の柱筋４２Ｂは、この穴に挿入されて、柱筋４２Ｃに接合される。
【００２９】
柱梁接合部３５は、プレキャストコンクリート造で直方体形状である。この柱梁接合部３５には、梁材であるＨ形鋼が打ち込まれており、このＨ形鋼は、柱梁接合部３５の側面から突出して、鉄骨梁継手部３２Ａとなっている。
また、柱梁接合部３５には、柱部材３４の柱筋４２Ｃが貫通する貫通孔が設けられている。
【００３０】
以上の建物１を構築する手順について、図４のフローチャートを参照しながら説明する。
まず、ステップＳ１では、図５に示すように、地下躯体２の外側となる位置に、地下躯体２の構築が周囲の地盤や地下水等に与える影響を防ぐための山留め壁４を構築する。
【００３１】
ステップＳ２では、図５に示すように、山留め壁４に図示しない切梁を架設しながら、この山留め壁４で囲まれた部分を掘削する。この掘削作業により掘削底面が露出するので、この掘削底面上に捨てコンクリート１１を打設する。
【００３２】
ステップＳ３では、図５に示すように、基礎１０の下部を構築する。
すなわち、捨てコンクリート１１の上に、耐圧盤１４および基礎梁１２の下部を構築する。
【００３３】
ステップＳ４では、図６に示すように、先行柱梁架構６０を構築する。
すなわち、基礎梁接合部１３、柱部材２４、柱梁接合部２５、柱部材３４、柱梁接合部３５、および鉄骨梁２２Ｂ、３２Ｂを予め製作しておく。
そして、基礎梁接合部１３を基礎梁１２の下部の上に設置し、柱部材２４、柱梁接合部２５、柱部材３４、柱梁接合部３５を所定位置に配置して鉛直部材６１を組み立てる。
また、これら鉛直部材６１の鉄骨梁継手部２２Ａ同士の間に鉄骨梁２２Ｂ、３２Ｂを接合して、水平部材６２とする。
【００３４】
ステップＳ５では、図６に示すように、先行柱梁架構６０に支持される１階床３３を先行床として構築する。
この先行床３３は、建物の本設１階床であるが、工事中、作業床としての役割と、山留め壁４を支保する切梁としての役割とを果たす。
【００３５】
ステップＳ６では、図７に示すように、先行床である１階床３３よりも下の地下躯体２を構築するとともに、先行床である１階床３３より上の地上躯体３を下階から上階に向かって構築する。
【００３６】
ここで、地下躯体２は、以下のような構造となる。
基礎梁接合部１３の下部は、基礎梁１２に打ち込まれ、基礎梁接合部１３の上部は、地下２階の床面から上方に突出する。
また、基礎梁接合部１３の側面から突出する上端筋４１Ａは、基礎梁１２の上端筋４１となる。
【００３７】
地下２階の床面から突出する上述の基礎梁接合部１３の上部と、この基礎梁接合部１３の上端に接合された柱部材２４とは、地下２階柱２１を構成する。
柱梁接合部２５の側面から突出した鉄骨梁継手部２２Ａは、鉄骨梁２２Ｂに接合されて、地下１階梁２２となる。
【００３８】
柱部材３４は、地下１階柱３１を構成する。
柱梁接合部３５の側面から突出した鉄骨梁継手部３２Ａは、鉄骨梁３２Ｂに接合されて、１階梁３２となる。
【００３９】
基礎梁接合部１３の柱筋４２Ａ、柱部材２４の柱筋４２Ｂ、および柱部材３４の柱筋４２Ｃは、互いに接合されて、柱筋４２となる。
【００４０】
本実施形態によれば、以下のような効果がある。
（１）本設の柱梁架構の一部である先行柱梁架構６０および１階床３３を先行して構築したので、この１階床３３で上下の作業空間を仕切って、１階床３３よりも上の地上躯体３と１階床３３よりも下の地下躯体２とを同時進行で構築できる。したがって、工期を短縮できる。
また、先行柱梁架構６０および１階床３３の構築前に地下部分の掘削を完了できるので、掘削費用にかかる費用を低減して、建設コストを低減できる。
【００４１】
また、ラーメン構造である柱梁架構を先行柱梁架構６０として構築することで、施工中に地震が発生しても、この地震の揺れにラーメン構造で抵抗して、安全性を確保できる。
【００４２】
（２）先行柱梁架構６０を、プレキャストコンクリート部材である基礎梁接合部１３、柱部材２４、柱梁接合部２５、柱部材３４、柱梁接合部３５、および、は鉄骨部材である鉄骨梁２２Ｂ、３２Ｂで構成した。したがって、これらプレキャストコンクリート部材および鉄骨部材を予め製作しておき、現場では組み立てのみを行うことで、先行柱梁架構６０を短工期で構築して、全体の工期をより短縮できる。
【００４３】
なお、本発明は前記実施形態に限定されるものではなく、本発明の目的を達成できる範囲での変形、改良等は本発明に含まれるものである。
例えば、本実施形態では、地下躯体２の１階床３３を先行床としたが、これに限らず、地下躯体２や地上躯体３の所定階を先行床としてもよい。
【００４４】
また、本実施形態では、先行柱梁架構６０を、地下躯体２の外周に沿って配置された柱２１を含めずに構成したが、これに限らず、地下躯体２の外周に沿って配置された外周壁２６、３６および外周柱２７、３７を含めて構成してもよい。このようにすれば、ラーメン構造である先行柱梁架構の剛性をより向上できるから、地震に対する安全性をより向上できる。
【００４５】
また、本実施形態では、プレキャストコンクリート造である基礎梁接合部１３を含んで基礎１０を構成したが、これに限らない。例えば、基礎１０を完全に現場打設のコンクリートで構築し、この基礎１０の上からプレキャストコンクリート部材を用いて先行柱梁架構６０を構築してもよい。
また、本実施形態では、鉄骨梁２２Ｂ、３２Ｂを用いて先行柱梁架構６０を構成したが、梁部材としてプレキャストコンクリート部材、または鉄骨梁と鉄筋コンクリート梁を組み合わせた複合部材を用いて先行柱梁架構を構築してもよい。
【符号の説明】
【００４６】
１…建物
２…地下躯体
３…地上躯体
４…山留め壁
１０…基礎
１１…捨てコンクリート
１２…基礎梁
１３…基礎梁接合部
１４…耐圧盤
２０…地下２階立ち上がり躯体
２１…地下２階階柱
２２…地下１階梁
２２Ａ…鉄骨梁継手部
２２Ｂ…鉄骨梁
２３…地下１階床
２４…柱部材
２５…柱梁接合部
２６…外周壁
２７…外周柱
３０…地下１階立ち上がり躯体
３１…地下１階柱
３２…１階梁
３２Ａ…鉄骨梁継手部
３２Ｂ…鉄骨梁
３３…１階床
３４…柱部材
３５…柱梁接合部
３６…外周壁
３７…外周柱
４０、４０Ａ…下端筋
４１、４１Ａ…上端筋
４２、４２Ａ、４２Ｂ、４２Ｃ…柱筋
６０…先行柱梁架構
６１…鉛直部材
６２…水平部材
【図１】
2015161059.tif 000003
【図２】
2015161059.tif 000004
【図３】
2015161059.tif 000005
【図４】
2015161059.tif 000006
【図５】
2015161059.tif 000007
【図６】
2015161059.tif 000008
【図７】
2015161059.tif 000009